(57)【要約】【課題】本発明は、携帯型光学情報読取装置の読み取り条件などの特別なデータベースが不要で、かつ、バーコードの読み取り可否状態や読み取り状態の改善方法を報知することで、使用者が適切な読み取り位置を効率的に見つけ、学習することが可能な携帯型光学情報読取装置を提供することを目的とする。【解決手段】２次元コードを光学的に画像情報として読み取る２次元コード読み取り部と、前記２次元コード読み取り部で復号された情報の誤り訂正の状態を求める誤り訂正演算部と、前記誤り訂正演算部の出力する誤り検出状態に基づいて前記光学情報の読取可否状態を報知する報知部とを備えている。【選択図】図１
2005284800.tif 000002
【特許請求の範囲】
【請求項１】
光学情報を読み取とって復号結果を出力する光学情報読み取り部と、
前記光学情報読み取り部で復号された情報の誤り訂正の状態を演算する誤り訂正演算部と、
前記誤り訂正演算部が出力する誤り検出状態に基づいて前記光学情報の読取可否状態を報知する報知部とを備えた携帯型光学情報読取装置。
【請求項２】
光学情報との距離や角度などの読取状態を解析する解析部を備え、
報知部は、解析部の解析結果に基づいて、携帯型光学情報読取装置と光学情報との相対位置の変更を指示する旨の情報を操作者に報知する請求項１記載の携帯型光学情報読取装置。
【請求項３】
前回の誤り訂正の状態と今回の誤り訂正の状態とを比較した結果を報知部に出力する誤り訂正演算部を備え、
報知部は前記出力結果に基づいて今回の誤り検出状態が前回の誤り検出状態よりも悪くなった場合には悪くなった旨の情報を報知し、良くなった場合には良くなった旨の情報を報知する請求項１記載の携帯型光学情報読取装置。
【請求項４】
報知部の動作の可否を設定する設定部を備え、
前記報知部の動作を可能にした場合のみ前記報知部は報知を行う請求項１から３のいずれか１項に記載の携帯型光学情報読取装置。
【請求項５】
報知部として音声発生部を備えた請求項１から４のいずれか１項に記載の携帯型光学情報読取装置。
【請求項６】
報知部としてバックライトを有する表示部を備えた請求項１から５のいずれか１項に記載の携帯型光学情報読取装置。
【請求項７】
報知部として振動部を備えた請求項１から６のいずれか１項に記載の携帯型光学情報読取装置。
【請求項８】
報知部としてブザー部を備えた請求項１から７のいずれか１項に記載の携帯型光学情報読取装置。
【請求項９】
報知部として読取可否状態に応じて音程を変えて出力するブザー部を備えた請求項１から７のいずれか１項に記載の携帯型光学情報読取装置。
【請求項１０】
報知部を選択する選択部を備えた請求項５から９のいずれか１項に記載の携帯型光学情報読取装置。
【請求項１１】
選択部により選択した報知部の種類を保持する報知選択記憶部を備えた請求項１０記載の携帯型光学情報読取装置。
【請求項１２】
光学情報を読み取って前記光学情報の読取可否状態を報知することを繰り返す練習モードを設定する練習モード設定部を設け、練習モード設定中は報知のみを行う請求項１から１１のいずれか１項に記載の携帯型光学情報読取装置。
【請求項１３】
光学情報は、２次元コードまたはバーコードである請求項１から１２のいずれか１項に記載の携帯型光学情報読取装置。
【発明の詳細な説明】
【技術分野】
【０００１】
本発明は、光学情報の一例である２次元コードを読み取るの携帯型光学情報読取装置に関し、特に読み取り誤りを検出してその誤り検出状態を報知可能とした携帯型光学情報読取装置に関するものである。
【背景技術】
【０００２】
近年、ＰＯＳ（Ｐｏｉｎｔ  Ｏｆ  Ｓａｌｅｓ）システムの普及に伴い、バーコードの利便性は一層高まり、既に、物流、製造、サービス等の各分野において広く浸透している。製品情報をバーコード上に符号化し、コンピュータで処理することによって、多量の商品の効率的な運用管理が実現している。最近では、より小さなスペースに、より多くの情報を保持したいという要望から、２次元コード、すなわち２次元方向に情報を有するコードの開発が盛んになっている。
【０００３】
このようなコードの読み取り装置として、手持ち式の携帯型光学情報読取装置（以下、ＨＨＴ（ハンディーターミナル）と記す）が広く採用されている。このＨＨＴにおいては、使用者がコード上にその読み取り面を所定の距離を置いて対向させることコード情報の読み取りが行なわれる。
【０００４】
ＨＨＴにおいて、読み取り条件が悪い場合には、読み取りが行えない場合がある。例えば、バーコードや２次元コード等のコードとＨＨＴとの距離が遠すぎたり、コードに対するＨＨＴの読み取り角度が大きすぎたり、あるいは作業環境によっては、コードに室内照明が全反射したり、読み取りのための照度が不十分であったりした場合には、コードの読み取りができない。
【０００５】
このように、コードの読み取りができない場合には、読み取りができるまで、ＨＨＴの使用者がＨＨＴの読み取り位置をコードに近づけたり、コードに対する読み取り角度を変更するなどしてその調整をする必要がある。
【０００６】
従来の携帯型光学情報読取装置は、バーコードにおける読み取りの基準シンボルの読み取り状態を、あらかじめデータベース化された所定の基準と比較する条件判断手段と、前記読み取り状態が前記所定の基準内にない場合に使用者にそれを通知する通知手段とを備えた構成として通知している。そして、携帯型光学情報読取装置の使用者は、再読み取り時に、前記通知に従って適正な位置に読み取り装置を位置させることができるようにしている（例えば特許文献１参照）。
【０００７】
図７は、上記した従来の携帯型光学情報読取装置のブロック図を示しており、３１はＣＣＤエリアセンサ等を含むバーコード読み取り部、３２は既存のシンボルデータ３６に基づいて読み取ったバーコードから基準シンボルを抽出するシンボル抽出部、３３は抽出シンボルの特徴を数値化し、これに基づいて携帯型光学情報読取装置の読み取り状態を解析する読み取り状態解析部、３４は読み取り状態解析部３３で得られた数値と条件データ３７としてあらかじめ用意された基準値とを比較する条件比較部、３５は前記数値が基準値から外れている場合に、対応するエラーを通知するエラー通知部である。
【０００８】
以上のように構成された携帯型光学情報読取装置（ＨＨＴ）について、その動作を説明する。
【０００９】
シンボル抽出部３２はバーコード読み取り部３１で読み取ったバーコードの画像データから各種２次元コードの特徴となる基準シンボルデータを蓄積したシンボルデータ３６内のデータに基づいて基準シンボルを決定する。抽出された基準シンボルの特徴は、読み取り状態解析部３３によって数値化され、該数値に基づいてＨＨＴの読み取り状態、すなわち、ＨＨＴのバーコードに対する傾きや距離が解析される。条件データ７には、ＨＨＴの読み取り条件が記録されている。条件比較部３４は前記読み取り解析部３３で得られたＨＨＴの読み取り状態が、条件データ７の範囲データに照らし、適切であるか否かの判断をする。読み取り状態が、条件データ７の範囲データを超えたものである場合、その条件に対応する信号をエラー通知部３５に出力する。エラー通知部３５は読み取り状態が不適切である場合に、読み取り状態が適切になるように、ＨＨＴの読み取り状態を変えるように使用者に指示を出す。
【特許文献１】特開平１１−２８２９４７号公報
【発明の開示】
【発明が解決しようとする課題】
【００１０】
しかし、従来の携帯型光学情報読取装置では、ＨＨＴの読み取り条件を条件データ３７としてあらかじめ保持しなければならず、条件抽出の手間が必要となる。また、予め決められた条件以外の範囲については、読み取り状態を改善させる為の通知が困難となる。また、室内照明がバーコードで全反射されたり、バーコードに発生したしわなどによる反射など、条件データ３７を収集した時の環境とは異なる環境でＨＨＴを使用した場合、必ずしも条件データ３７を収集した時のＨＨＴ読み取り位置が最適とはなりえず、使用者に適切な指示を出すことが出来なくなる、という課題を有していた。
【００１１】
本発明は、ＨＨＴの読み取り条件などの特別なデータベースが不要であり、かつ、バーコード等のコードの読み取り可否状態や読み取り状態の改善方法を報知することで、使用者が適切な読み取り位置を効率的に見つけ、適切な読み取り位置を学習することが可能な携帯型光学情報読取装置を提供することを目的とする。
【課題を解決するための手段】
【００１２】
上記課題を解決するために、本発明の携帯型光学情報読取装置は、光学情報を読み取とって復号結果を出力する光学情報読み取り部と、前記光学情報読み取り部で復号された情報の誤り訂正の状態を演算する誤り訂正演算部と、前記誤り訂正演算部が出力する誤り検出状態に基づいて前記光学情報の読取可否状態を報知する報知部とを備えたものである。
【００１３】
また、本発明の携帯型光学情報読取装置は、光学情報との距離や角度などの読取状態を解析する解析部を備え、報知部は、解析部の解析結果に基づいて、携帯型光学情報読取装置と光学情報との相対位置の変更を指示する旨の情報を操作者に報知するものである。
【００１４】
また、本発明の携帯型光学情報読取装置は、前回の誤り訂正の状態と今回の誤り訂正の状態とを比較した結果を報知部に出力する誤り訂正演算部を備え、報知部は前記出力結果に基づいて今回の誤り検出状態が前回の誤り検出状態よりも悪くなった場合には悪くなった旨の情報を報知し、良くなった場合には良くなった旨の情報を報知するものである。
【００１５】
また、本発明の携帯型光学情報読取装置は、報知部の動作の可否を設定する設定部を備え、前記報知部の動作を可能にした場合のみ前記報知部は報知を行うものである。
【００１６】
また、本発明の携帯型光学情報読取装置は、報知部として音声発生部を備えたものである。
【００１７】
また、本発明の携帯型光学情報読取装置は、報知部としてバックライトを有する表示部を備えたものである。
【００１８】
また、本発明の携帯型光学情報読取装置は、報知部として振動部を備えたものである。
【００１９】
また、本発明の携帯型光学情報読取装置は、報知部としてブザー部を備えたものである。
【００２０】
また、本発明の携帯型光学情報読取装置は、報知部として読取可否状態に応じて音程を変えて出力するブザー部を備えたものである。
【００２１】
また、本発明の携帯型光学情報読取装置は、報知部を選択する選択部を備えたものである。
【００２２】
また、本発明の携帯型光学情報読取装置は、選択部により選択した報知部の種類を保持する報知選択記憶部を備えたものである。
【００２３】
また、本発明の携帯型光学情報読取装置は、光学情報を読み取って前記光学情報の読取可否状態を報知することを繰り返す練習モードを設定する練習モード設定部を設け、練習モード設定中は報知のみを行うものである。
【００２４】
また、本発明の携帯型光学情報読取装置は、読み取る光学情報を２次元コードまたはバーコードとしたものである。
【発明の効果】
【００２５】
以上のように、本発明は、２次元コード読み取り部で復号された情報の誤り検出状態を読み取り可否状態として使用者に報知する。その結果、携帯型光学情報読取装置の読み取り条件などの特別なデータベースが不要であり、かつ、２次元コードの読み取り可否状態や読み取り状態の改善方法を報知することで、使用者が携帯型光学情報読取装置の適切な読み取り位置を効率的に見つけ、学習することが可能な携帯型光学情報読取装置を提供することができる。
【発明を実施するための最良の形態】
【００２６】
以下、本発明を実施するための最良の形態について、図１から図６を用いて説明する。
【００２７】
（実施の形態１）
図１と図４を用いて、本実施の形態の携帯型光学情報読取装置（以下、ＨＨＴ（ハンディーターミナル）と示す）について説明する。図１は、本実施の形態のＨＨＴの概略構成を示すブロック図である。また、図４は、本実施の形態のＨＨＴの２次元コードの読み取り手順についてのフローチャートである。
【００２８】
図１において、１０は２次元コードに光を投光しＣＣＤセンサなどで２次元コードを画像情報として読み取る２次元コード読み取り部、１１は２次元コード読み取り部で復号された情報の誤り訂正の状態を求める誤り訂正演算部、１５は誤り訂正演算部の出力する誤り検出状態に基づいて前記光学情報の読取可否状態を報知する報知部、１４は報知部の動作の可否を設定する設定部、２０は報知部を選択する選択部、２１は選択部２０が選択した内容を記憶する記憶部を示す。
【００２９】
以上のように構成されたＨＨＴについて、その動作を説明する。
【００３０】
２次元コード読み取り部１０は２次元コード（ＱＲコード、マキシコード、ベルコードなど）に光を投光し、前記コードが反射した光をＣＣＤなどで受光して画像情報に変換し、ＨＨＴ内のメモリ上に抽出する（図４のステップ１０１）。
【００３１】
ステップ１０２にて、誤り訂正演算部１１は、前記画像情報を入力して、読み取り対象となる２次元コードの特徴となるシンボルの位置や向きを解析し、その結果と前記画像情報から前記２次元コードに記載されたデータの情報量や誤り訂正レベルを抽出する。通常、ＱＲコードの場合、誤り訂正方式としてリードソロモン法が適用される。次に、誤り訂正演算部１１は、前記誤り訂正レベル（誤りの復元能力に応じて４段階）に応じて前記画像情報の誤り検出を行い、誤りビット数を算出する。なお、この誤りビット数は、２次元コード読み取り部１０で読み取った時のＨＨＴと２次元コードとの距離や角度が読み取り可能な範囲から外れたり、環境照明の角度が不適切で２次元コード面で全反射した場合、または、２次元コードにしわなどが発生し、同様に部分的に全反射が発生場合など、読み取り状態が悪化するほど増加するものである。
【００３２】
次に、誤り訂正演算部１１は、前記の誤り検出結果を受けて誤り訂正処理を行い（ステップ１０３）、前記誤りビット数を報知部１５に出力する。報知部１５は、誤りビット数を入力し、読取可否状態として誤りビット数を報知するものであり、報知部１５としてＬＣＤ（Ｌｉｑｕｉｄ  Ｃｒｙｓｔａｌ  Ｄｉｓｐｌａｙ）を用いる場合には、このＬＣＤに表示する。そして、誤りの程度により表示される誤りのビット数が異なり、例えば、誤りの程度により誤りビットを４つのレベルで表示するものとした場合、ＨＨＴの使用者は、誤りビット数をみることで読み取り可能な範囲からどの程度外れているかを知ることができ、それに基づきＨＨＴの位置を移動させることができる。
【００３３】
なお、ステップ１０３において誤り訂正が出来なかった場合には、ステップ１０１に戻って画像データを再度読み込み、上記と同様の処理を行い、一方、誤り訂正が出来た場合には、２次元コードの読取処理を終了する（ステップ１０５）。
【００３４】
以上のように、本実施の形態のＨＨＴによれば、誤り訂正演算部１１が、読み取った画像情報の誤り検出により誤りビット数を算出し、報知部１５が、読取可否状態として誤りビット数をＬＣＤなどに表示するため、使用者は、２次元コードが正しく読み取れなかった時のコードの読み取り可否状態を知る事ができる。なお、この使用者への報知は、２次元コードが正しく読み取られるまで繰り返される。従って、使用者が適切な読み取り位置を効率的に見つけ、学習することが可能なＨＨＴを提供することができる。
【００３５】
また、本実施の形態のＨＨＴは、コード読み取り時に算出する誤り訂正に基づいてコードの読み取り可否状態を報知するので、従来の読み取り装置の様に、ＨＨＴの読み取り条件などの特別なデータベースを予め持たせておく必要がなく、条件抽出の手間も不要となる。
【００３６】
また、読み取る環境照明の条件や２次元コードのしわなどの発生があり、これらにより読み取りができない場合についても、２次元コードを読み取った時の読み取り可否状態を報知することができる。
【００３７】
また、図１に示す設定部１４は、報知部１５の動作の可否を設定するためのものであり、報知部１５が動作化可能に設定されていれば、２次元コードの読み取り時に、ステップ１０４で報知部１５が読取可否状態を報知する。報知部１５が動作不可能に設定されていれば、読取可否状態を報知しないので、既に２次元コードの読み取り操作に習熟した使用者が本ＨＨＴで読み取り操作をする際、読取可否状態を毎回報知する事による作業効率の低下を防ぐ事ができる。
【００３８】
また、報知部１５は、報知手段として音声発生部を備えるものとしてもよい。このようにすることで、暗くて表示が見えない作業環境で使用する場合や、ＨＨＴと２次元コードとの位置関係を注視しながら作業する場合に、ＨＨＴの表示によらなくても適切な読み取り位置を効率的に見つけ、適切な読み取り位置を学習することが可能となる。
【００３９】
また、報知部１５は、報知手段としてバックライトを有する表示部としてもよい。このようにすることで、読取可否状態に応じてバックライトを点灯する期間を変える事で読取可否状態を報知することができる。従って、暗く表示装置が見えない作業環境で使用する場合でも、適切な読み取り位置を効率的に見つけ、学習することが可能となる。
【００４０】
また、報知部１５は、報知手段としてバイブレータなどの振動部を備えるものとしてもよい。このようにすることで、暗く表示装置が見えない作業環境で使用する場合や、ＨＨＴと２次元コードとの位置関係を注視しながら作業する場合に、ＨＨＴが生じる振動により適切な読み取り位置を効率的に見つけ、学習することが可能となる。また、聴覚の弱い作業者が使用する場合には、他の報知手段に比べて効果が大きい。
【００４１】
また、報知部１５は、報知手段としてブザー部を備えるものとしてもよい。そして、読取可否状態に応じてブザーの音量を変えたり、ブザーが鳴動する期間を変える事で読取可否状態を報知することができる。従って、暗く表示装置が見えない作業環境で使用する場合や、ＨＨＴと２次元コードとの位置関係を注視しながら作業する場合に、適切な読み取り位置を効率的に見つけ、学習することが可能となる。また、一般的に、上記した音声発生部を用いる場合よりも、廉価な構成で実現することができる。
【００４２】
また、報知部１５は、報知手段として音程を変えて鳴動するブザー部を備えるものとしてもよい。そして、読取可否状態に応じて、ブザーの音程を変える事で読取可否状態を報知することができる。従って、暗く表示装置が見えない作業環境で使用する場合や、ＨＨＴと２次元コードとの位置関係を注視しながら作業する場合に、適切な読み取り位置を効率的に見つけ、学習することが可能となる。また、一般的に、上記した音声発生部よりも、廉価な構成で機能実現することが出来るうえ、読取可否状態の変化を的確につかむ事ができる。
【００４３】
また、図１に示す選択部２０は、報知部１５の動作選択内容を選択するためのものであり、選択された内容は不揮発性のメモリや電源バックアップメモリなどで構成する報知部選択状態といして記憶部２１に保持される。そして、報知部１５は、動作選択内容で選択されている報知機能により使用者に読取可否状態を報知する。従って、複数の報知手段を有するＨＨＴにおいて、ＨＨＴの使用者の好みに合わせて報知手段を組み合わせる事ができ、また、使用者毎に報知手段を記憶させることができる。従って、各使用者にとって、適切な読み取り位置を効率的に見つけ、学習することが可能なＨＨＴを提供することができる。
【００４４】
なお、画像読み取り（図４のステップ１０１）から誤り訂正出来たかどうかの判定（ステップ１０５）を行う上記処理は、通常のシステムを構成する一つの構成要素としての２次元コード読み取り処理を想定している。その為、読み取った２次元コードのデータは、運用しているシステム内のサーバ装置等に送信されるのが通常である。従って、適切な読み取り位置を効率的に見つけたり、学習するための目的で、不用意に２次元コードを読み取らせると運用システムに悪影響を及ぼす場合がある。
【００４５】
そこで、本実施の形態のＨＨＴは、適切な読み取り位置を効率的に見つけたり、学習するための練習モードを備えている。本実施の形態のＨＨＴは、練習モードキー（図示せず）を備え、それを押下することで通常のシステム運用とは別の練習モード機能プログラムが動作し、図４に示す画像読み取り（ステップ１０１）から誤り訂正が出来たかどうかの判定（ステップ１０５）を繰り返し、この間は他の機器へのデータの送信等は行わないものである。そして、前記の繰り返し処理の周期は、日常のシステム運用上の入力作業タイミングに関係なく自由に設定しても良い。例えば、ＨＨＴを２次元コードの上に移動させて、読み取り動作０．１秒周期などの極めて短期間で連続的に読み取り動作をさせ、その都度、読取可否状態を表示や音程等で報知することで、操作者に早期に適切な読み取り位置になるよう報知することができる。このように、練習モードを設けることで、使用者は、通常のシステム運用に悪影響を与えることなく、適切な読み取り位置を効率的に見つけ、適切な読み取り位置を学習することが可能となる。
【００４６】
（実施の形態２）
図２と図５を用いて、本実施の形態のＨＨＴについて説明する。本実施の形態において実施の形態１と同様の箇所については同一の符号を付して詳細な説明を省略する。
【００４７】
図２において、１２は２次元コード読み取り部１０から出力される２次元コードの画像情報を入力し、２次元コードとの距離や角度などの読取状態を解析する解析部、１６は解析部１２の解析結果に基づいて、ＨＨＴと２次元コードとの相対位置の変更を指示する旨の情報を操作者に報知する報知部である。実施の形態１と異なるのは、解析部１２を追加し、２次元コードとＨＨＴとの相対位置の変更を指示する旨の情報を操作者に報知する機能を付加した点である。
【００４８】
以下，本実施の形態におけるＨＨＴについて、その動作を説明する。
【００４９】
図５のフローチャートに示すように、ＨＨＴの解析部１２は、ステップ２０１にて、２次元コード読み取り部１０から出力される２次元コードの画像情報を入力し、２次元コードとの距離や角度などの読取状態を解析する。具体的には、ＱＲコードの場合、読み取り対象となる２次元コードの特徴となるシンボル（角部の３つの方形マーク）の図形情報（マークの大きさ、マークの間隔など）から２次元シンボルとＨＨＴの相対位置や傾きを求める。
【００５０】
報知部１６は、誤り訂正演算部１１から入力される誤りビット数を読取可否状態としてＬＣＤなどに表示するとともに、解析部１２の解析結果（２次元シンボルとＨＨＴの相対位置や傾き）を、読み取り可能範囲に近づける為には、ＨＨＴの位置をどのように変更すれば良いかを指示する。例えば、読み取り角度が読み取り可能範囲からずれている場合、“ＨＨＴをバーコードに対して水平にして下さい”などの表示をし、また、読み取り距離が近すぎる場合、“ＨＨＴをバーコードから離して下さい”などの指示が表示される（ステップ２０２）。
【００５１】
以上のように、本実施の形態によれば、解析部１２が２次元コードとの距離や角度などの読取状態を解析し、その解析結果に基づいて、報知部１６は、解析部１２の解析結果（２次元シンボルとＨＨＴの相対位置や傾き）を、読み取り可能範囲に位置させる為に、ＨＨＴの位置をどのように変更すれば良いかを指示する。従って、使用者がＨＨＴを適切な読み取り位置に効率的修正することが出来、適切な読み取り位置を学習することが可能なＨＨＴを提供することができる。
【００５２】
（実施の形態３）
図３と図６を用いて、本実施の形態のＨＨＴについて説明する。本実施の形態において、実施の形態１と同様の箇所については同一の符号を付して詳細な説明を省略する。
【００５３】
図３において、１７は記憶部１３に記憶している前回の誤り検出状態と今回の誤り検出状態とを比較した結果を報知部に出力する誤り訂正演算部、１８は誤り訂正演算部１７の出力結果を入力し、今回の誤り検出状態が前回の誤り検出状態よりも悪くなった場合には悪くなった旨の情報を報知し、良くなった場合には良くなった旨の情報を報知する報知部である。実施の形態１と異なるのは、誤り訂正演算部１７が記憶部１３に記憶されている誤り検出状態に基づいて誤りの状態を出力し、その出力に基づいて報知部１８により、今回の誤り検出状態が前回の誤り検出状態と比べてどうなったかを報知する機能を付加した点である。なお、誤り訂正演算部１７は、演算した結果を記憶部１３に記憶するものである。
【００５４】
以下，本実施の形態におけるＨＨＴについて、その動作を説明する。
【００５５】
誤り訂正演算部１７は、自らが算出した誤りビット数を誤り検出状態として記憶部１３に保持する（図６のステップ３０１）。また、前回の２次元コードを読み取った際に同様に記憶部１３に保持された検出状態と比較し、今回の誤りビット数が少なくなっていれば、今回の誤り検出状態が前回の誤り検出状態と比べて良くなった旨の信号を報知部１８に出力する。逆に、今回の誤りビット数が多くなっていれば、今回の誤り検出状態が前回の誤り検出状態と比べて悪くなった旨の信号を報知部１８に出力する。報知部１８は、誤り訂正演算部１７から出力される誤り検出状態の変化を入力して、その内容を報知する（ステップ３０２）。
【００５６】
従って、使用者がＨＨＴの読み取り位置を修正した際に、その修正動作が適切であったのかどうかをすぐに認識する事ができる。すなわち、使用者がＨＨＴを適切な読み取り位置に効率的に修正することが出来、適切な読み取り位置を学習することが可能なＨＨＴを提供することができる。
【００５７】
また、本ＨＨＴにおいては、前回の誤り検出状態と今回の誤り検出状態とに基づいて誤り検出状態を報知するので、従来の読み取り装置の様に、ＨＨＴに報知させるための特別なデータベースを予め持たせておく必要はなく、条件抽出の手間も不要となる。
【００５８】
また、読み取る環境照明の条件や２次元コードのしわなどの発生があっても、２次元コードを読み取った時の読み取り可否状態に従って、ＨＨＴを適切な読み取り位置に効率的に修正することができる。
【００５９】
なお、実施の形態１から実施の形態３において、携帯可能なＨＨＴについて説明したが、読取装置を固定式とし、読み取り対象を移動させて読み取らせる場合にもおいても、読取装置に読取状態を報知させることで、作業者に適切な読み取り位置を知らせることができる。
【産業上の利用可能性】
【００６０】
本発明の携帯型光学情報読取装置は、使用者が適切な読み取り位置を効率的に見つけ、学習することが可能となる為、位置により読み取り性能が異なる携帯型光学情報読取装置等として産業上有用である。
【図面の簡単な説明】
【００６１】
【図１】本発明の携帯型光学情報読取装置の実施の形態１における構成ブロック図
【図２】本発明の携帯型光学情報読取装置の実施の形態２における構成ブロック図
【図３】本発明の携帯型光学情報読取装置の実施の形態３における構成ブロック図
【図４】本発明の携帯型光学情報読取装置の実施の形態１におけるコードの読み取り手順についてのフローチャート
【図５】本発明の携帯型光学情報読取装置の実施の形態２におけるコードの読み取り手順についてのフローチャート
【図６】本発明の携帯型光学情報読取装置の実施の形態３におけるコードの読み取り手順についてのフローチャート
【図７】従来の携帯型光学情報読取装置の構成ブロック図
【符号の説明】
【００６２】
１０              ２次元コード読み取り部
１１、１７        誤り訂正演算部
１２              解析部
１３、２１        記憶部
１４              設定部
１５、１６、１８  報知部
２０              選択部
【図１】
2005284800.tif 000003
【図２】
2005284800.tif 000004
【図３】
2005284800.tif 000005
【図４】
2005284800.tif 000006
【図５】
2005284800.tif 000007
【図６】
2005284800.tif 000008
【図７】
2005284800.tif 000009